(57)【要約】      （修正有）【課題】覆いを容易にオープンさせられ、オープン後に残余食物を保管時に再密閉が可能であり、消費者が購買前に封切りされたか否かを確認できるようにされた再密閉が可能な食物貯蔵容器を提供する。【解決手段】容器本体10は、外壁12の上端部周囲に沿って結合溝14が形成され、外壁12上端周囲に沿って水平に延長形成される容器フランジ13と、容器フランジ13から下方に延長形成される容器リーフ17と、容器リーフ17の任意地点から水平に延長形成される容器取っ手15とより構成される。このような貯蔵容器は、容器本体10の結合溝14と覆い20の結合爪24とによって密閉が可能なので、残った食物を密閉させつつ保管を可能にする。また、容器取っ手15と覆い取っ手25とが相互熱接合される構造を有することにより、購買時に覆いが封切りされているか否かを消費者が容易に分かるようにして安心して購買できるようにする。【選択図】図４
2006052012.tif 000002
【特許請求の範囲】
【請求項１】
上部が開放されて底面及び外壁を構成して空間部を形成する容器本体と、前記容器本体に開閉可能に結合される覆いとを備える食物貯蔵容器において、
前記容器本体10は、前記外壁12の上端部の周囲に沿って結合溝14が形成され、前記外壁12の上端周囲に沿って水平に延長形成される容器フランジ13と、前記容器フランジ13から下方に延長形成される容器リーフ17と、前記容器リーフ17の任意地点から水平に延長形成される容器取っ手15とが備わり、
前記覆い20はエッジに前記外壁12に密着結合される覆い外壁22が形成され、前記覆い外壁22に前記結合溝14に対応形成されて密着結合される結合爪24が形成され、前記結合爪24の端部から水平に延長形成されて前記容器フランジ13に熱接合される覆いフランジ23と、前記覆いフランジ23から下方に延長形成される覆いリーフ27と、前記覆いリーフ27から延びて前記容器取っ手15と一部分熱接合される覆い取っ手25とが備わったことを特徴とする再密閉可能な食物貯蔵容器。
【請求項２】
前記覆い取っ手25の中央部分に下方に突出された下方突出部25aを形成し、前記覆い取っ手25と容器取っ手15の端部とを離隔させ、前記下方突出部と容器取っ手とが熱接合されたことを特徴とする請求項1に記載の再密閉可能な食物貯蔵容器。
【請求項３】
前記容器本体10の外壁に、内側には窪んで外側には突出された複数の容器支持爪16を形成し、
前記容器本体10を相互重畳させる時、相互一定間隔を保持させることを特徴とする請求項1または請求項2に記載の再密閉可能な食物貯蔵容器。
【請求項４】
前記容器本体10と密着される前記覆い外壁22に、内側には窪んで外側には突出された複数の余裕溝26を形成し、
前記覆い20を容器本体10から容易に分離させられることを特徴とする請求項1または請求項2に記載の再密閉可能な食物貯蔵容器。
【発明の詳細な説明】
【技術分野】
【０００１】
本発明は再密閉可能な食物貯蔵容器に係り、特に覆い（lid）を容易にオープンさせられ、オープン後に残余食物を保管する時に再密閉が可能であり、消費者が購買前に封切りするか否かを確認できるようにその構造が改良された再密閉が可能な食物貯蔵容器に関する。
【背景技術】
【０００２】
一般的に、残余食物の保管または旅行時に食物を携帯する場合には、食物を収容できる容器が使われる。
【０００３】
特に、液状の食物を収容する容器の場合には、臭いだけでなく食物が漏れ出さないようにする密閉構造が要求される。
【０００４】
このような密閉構造を採用する容器の一例が特許文献1に開示されて図1に図示されている。
【０００５】
これは、食物を収容する空間部2が設けられて上部が開放された容器本体3と、この容器本体3の上部に開閉可能に結合される覆い6と、前記覆い6のエッジに結合されて空間部2を密閉させるパッキング5とより構成される。
【０００６】
また、覆い6のエッジには、容器本体3との結合保持のための結合片11が延長形成された構造よりなっている。
【０００７】
しかし、前記のような構成の容器は、残った食物を密閉させた状態で保管できる利点を有しているが、次のような問題点がある。
【０００８】
第一に、容器本体3と覆い6以外に空間部2の密閉のための別途のパッキング5が要求されるので、生産部品数が多くてコスト節減に不利である。
【０００９】
第二に、製品の購買時に覆いがオープンされているか否かが消費者が分からないので、内容物に対する品質などを信頼して購買できない。
【００１０】
第三に、覆い6のオープン時に複数の結合片11のロッキング状態を解除させなければならないので、オープン動作が不便である。
【００１１】
【特許文献１】韓国特許出願番号第2003−60740号公報
【発明の開示】
【発明が解決しようとする課題】
【００１２】
本発明は、前記のような問題点を解決するために創出されたものであり、次のような解決課題を有する。
【００１３】
第一に、別途のパッキングによらずとも、開封されていた覆いを利用して容器本体を再密閉可能にした食物貯蔵容器を提供することである。
【００１４】
第二に、購買時に覆いが封切りされているか否かが消費者が容易に分かるように改良された再密閉可能な食物貯蔵容器を提供することである。
【００１５】
第三に、密閉された容器の封切りを容易にできるように改良された再密閉可能な食物貯蔵容器を提供することである。
【課題を解決するための手段】
【００１６】
前記課題を解決する本発明は、上部が開放されて底面及び外壁を構成して空間部を形成する容器本体と、前記容器本体に開閉可能に結合される覆いとを備える食物貯蔵容器において、前記容器本体は、前記外壁の上端部周囲に沿って結合溝が形成され、前記外壁上端周囲に沿って水平に延長形成される容器フランジと、前記容器フランジから下方に延長形成される容器リーフと、前記容器リーフの任意地点から水平に延長形成される容器取っ手とが備わり、前記覆いは、エッジに前記外壁に密着結合される覆い外壁が形成され、前記覆い外壁に前記結合溝に対応形成されて密着結合される結合爪が形成され、前記結合爪の端部から水平に延長形成されて前記容器フランジに熱接合される覆いフランジと、前記覆いフランジから下方に延長形成される覆いリーフと、前記覆いリーフから延びて前記容器取っ手と一部分熱接合される覆い取っ手とが備わったことを特徴とする。
【００１７】
前記本発明貯蔵容器において、前記覆い取っ手の中央部分に下方に突出された下方突出部を形成し、前記覆い取っ手と容器取っ手の端部とを離隔させ、前記下方突出部と容器取っ手とが熱接合されたことを特徴とする。
【００１８】
また、本発明貯蔵容器は、前記容器本体の外壁に内側には窪んで外側には突出された複数の容器支持爪を形成し、前記容器本体を相互重畳させる時、相互一定間隔を保持させることを特徴とする。
【００１９】
また、本発明貯蔵容器は、前記容器本体と密着される前記覆い外壁に内側には窪んで外側には突出された複数の余裕溝を形成し、前記覆いを容器本体から容易に分離させられることを特徴とする。
【００２０】
本発明に係る食物貯蔵容器においては、（１）上部が開放されて底面及び外壁を構成して空間部を形成する容器本体と、前記容器本体に開閉可能に結合される覆いとを備える食物貯蔵容器において、
前記容器本体10は、前記外壁12の上端部の周囲に沿って結合溝14が形成され、前記外壁12の上端周囲に沿って水平に延長形成される容器フランジ13と、前記容器フランジ13から下方に延長形成される容器リーフ17と、前記容器リーフ17の任意地点から水平に延長形成される容器取っ手15とが備わり、
前記覆い20はエッジに前記外壁12に密着結合される覆い外壁22が形成され、前記覆い外壁22に前記結合溝14に対応形成されて密着結合される結合爪24が形成され、前記結合爪24の端部から水平に延長形成されて前記容器フランジ13に熱接合される覆いフランジ23と、前記覆いフランジ23から下方に延長形成される覆いリーフ27と、前記覆いリーフ27から延びて前記容器取っ手15と一部分熱接合される覆い取っ手25とが備わったことを特徴とする再密閉可能な食物貯蔵容器であることを特徴とする。
【００２１】
本発明に係る食物貯蔵容器においては、（２）前記覆い取っ手25の中央部分に下方に突出された下方突出部25aを形成し、前記覆い取っ手25と容器取っ手15の端部とを離隔させ、前記下方突出部と容器取っ手とが熱接合されたことを特徴とする請求項1に記載の再密閉可能な食物貯蔵容器であることを特徴とする。
【００２２】
本発明に係る食物貯蔵容器においては、（３）前記容器本体10の外壁に、内側には窪んで外側には突出された複数の容器支持爪16を形成し、
前記容器本体10を相互重畳させる時、相互一定間隔を保持させることを特徴とする上記（1）または（2）に記載の再密閉可能な食物貯蔵容器であることを特徴とする。
【００２３】
本発明に係る食物貯蔵容器においては、（４）前記容器本体10と密着される前記覆い外壁22に、内側には窪んで外側には突出された複数の余裕溝26を形成し、
前記覆い20を容器本体10から容易に分離させられることを特徴とする上記（1）または（2）に記載の再密閉可能な食物貯蔵容器であることを特徴とする。
【発明の効果】
【００２４】
本発明によれば、第一に、容器本体10の結合溝14と覆い20の結合爪24とによって密閉が可能なので、残った食物を密閉させつつ保管を可能にする。
【００２５】
また、従来のように密閉のために別途のパッキングが使われたものとは異なり、本発明の貯蔵容器は、容器本体と覆いとの結合構造によって密閉を可能にして構造を簡単にする。
【００２６】
第二に、容器取っ手15と覆い取っ手25とが相互熱接合される構造を有することにより、購買時に覆いが封切りされているか否かを消費者が容易に分かって安心して購買できるようにする。
【００２７】
第三に、容器取っ手15と覆い取っ手25とが下方突出部25aによって離隔された構造を有することにより、覆い取っ手を容易に把持できるようにして覆いのオープン動作を容易にする。
【００２８】
また、容器本体の外壁12と覆い外壁22とが余裕溝26によって部分的に離隔された構造を有することにより、密閉された容器の封切りを容易にできるようにする。
【発明を実施するための最良の形態】
【００２９】
以下、添付された図面を参照しつつ本発明による望ましい実施形態を詳細に説明する。
【００３０】
本発明の実施形態の食物貯蔵容器は、簡単な構造で食物貯蔵空間部の密閉を可能にし、覆いの最初の封切り後に再密閉可能に覆えるようにして、購買時に覆いの封切りいかんを確認できるようにした構造を有する。
【００３１】
特に、本発明の実施形態の貯蔵容器は、覆いによって密閉が可能なので、液状の食物を漏れることなく保存可能にする。
【００３２】
前記のような本発明の実施形態の貯蔵容器を示した図2ないし図4及び図7を参照すれば、これは上部が開放されて底面11と外壁12とを構成して空間部18を形成する容器本体10と、前記容器本体10に開閉可能に結合される覆い20とを備える。
【００３３】
前記容器本体10は、外壁12の上端部周囲に沿って結合溝14が形成され、前記外壁12上端の周囲に沿って水平に延長形成される容器フランジ13と、前記容器フランジ13から下方に延長形成される容器リーフ17と、前記容器リーフ17の任意地点から水平に延長形成される容器取っ手15とより構成される。
【００３４】
また、前記容器本体10の外壁12には、内側には窪んで外側には突出された複数の容器支持爪16が形成される。この容器支持爪16は、図5に図示されたように、前記容器本体10を相互重畳させる時、相互一定間隔を保持させて分離を容易にする。
【００３５】
前記覆い20は、エッジに前記外壁12に密着結合される覆い外壁22が形成され、前記覆い外壁22に前記結合溝14に対応形成されて密着結合される結合爪24が形成される。
【００３６】
また、覆い20には、前記結合爪24の端部から水平に延長形成されて前記容器フランジ13に熱接合される覆いフランジ23と、前記覆いフランジ23から下方に延長形成される覆いリーフ27と、前記覆いリーフ27から延びて前記容器取っ手15と一部分熱接合される覆い取っ手25とより構成される。
【００３７】
前記覆い取っ手25の中央部分には、下方に突出された下方突出部25aが形成され、前記下方突出部25aと容器取っ手15とが熱接合される。
【００３８】
また、前記下方突出部25aによって前記覆い取っ手25と容器取っ手15の端部とが離隔され、覆い20のオープンのために覆い取っ手25の把持を容易にする。
【００３９】
図2及び図3を参照すれば、前記容器本体10と密着される前記覆い外壁22には、複数の余裕溝26が形成されるが、この余裕溝26は、覆い外壁22の内側には窪んで外側には突出された形状に形成される。
【００４０】
従って、容器本体10の外壁12と覆い外壁22とは、一部分では密着され、前記余裕溝26部分では相互離隔されるので、前記覆い20を容器本体10から容易に分離させることができるようになる。
【００４１】
また、図6に図示されたように、覆い20を相互重畳させる場合、上側に結合される覆い20の結合爪24が下側覆い20の覆いフランジ23に支持されるようになり、覆い20相互間の間隔を離隔させて容易に分離できるようにする。
【００４２】
一方、前記容器本体10と覆い20とは、合成樹脂材より形成され、特に図4Aに図示されたように、相互熱接合される容器フランジ13と覆いフランジ23とには樹脂フィルム30を付着させ、封切り時に熱接合部分の分離を容易にした。
【００４３】
また、容器本体10の外壁12周囲よりも覆い外壁20の周囲長さが実質的に長く形成され、容器本体10に覆い20を加圧して結合する時に弾性変形されつつ相互結合されて結合力を向上させる。
【００４４】
前記のような構成の貯蔵容器は、図4A及び図4Bに図示されたように、容器本体10の外壁12と覆い外壁22とが相互密着結合され、前記余裕溝26の部分では、容器本体10の外壁12と分離される。
【００４５】
また、結合溝14には、結合爪24が弾力的に結合され、容器本体10と覆い20とを密着させて密封状態を保持させ、相互対向する容器フランジ13と覆いフランジ23とは熱接合されて運搬／保管中に外部衝撃などによる覆い20のオープンを防止させる。
【００４６】
また、覆い取っ手25の下方突出部25aと容器取っ手15とが相互熱接合され、購買時に覆い20のオープンいかんを消費者が分かるようにする。
【００４７】
上記の通りに、容器本体10と覆い20とが相互結合保持された貯蔵容器をオープンさせる場合、まず図4Aに図示されたように、片手では容器本体10を把持し、もう一方の手では覆い取っ手25を把持し、上部に持ち上げつつ取っ手部分の熱接合部位を分離させる。連続的に覆い20を持ち上げる時、覆い20が弾性変形されて曲がりつつ容器本体10の結合溝14から覆い20の結合爪24が分離され、外壁12から覆い外壁22が分離されつつ覆い20が容器本体10から完全に分離されるようになる。
【００４８】
この時、容器取っ手15と覆い取っ手25とは下方突出部25aによって離隔されることにより把持が容易である。
【００４９】
一方、貯蔵容器の製造／生産時または複数の貯蔵容器を保管するときに、図5に図示されたように、容器本体10だけを重畳的に積層して保管させられ、図6に図示されたように、覆い20だけを相互重畳して保管させることができる。この場合、容器本体10の支持爪16によって重畳される容器本体10が相互離隔されて分離を容易にし、覆い20の結合爪24によって相互安定した重畳を可能にする。
【００５０】
また、容器本体10に残った食物が保管された場合には、図8に図示されたように、貯蔵容器全体を重畳して保管させることができる。この時、覆い20には覆い外壁22によって形成される窪み部によって覆い20の上部に貯蔵容器の安定した積層を可能にする。
【００５１】
前述のような本発明は、本願の精神と範囲とを離脱することなくして前記実施形態に限定されずに多くの変形を加えて実施されうる。
【産業上の利用可能性】
【００５２】
本発明の再密閉可能な食物貯蔵容器は、例えば食物貯蔵に効果的に適用可能である。
【図面の簡単な説明】
【００５３】
【図１】従来貯蔵容器を示した概略図である。
【図２】本発明の実施形態の貯蔵容器を示した分離斜視図である。
【図３】図2の分離断面図である。
【図４Ａ】覆いオープン動作を説明するための動作図である。
【図４Ｂ】図2のA−A断面図である。
【図５】容器本体の積層断面図である。
【図６】覆いの積層断面図である。
【図７】本発明の実施形態の容器本体の平面図である。
【図８】本発明の実施形態の貯蔵容器の積層断面図である。
【符号の説明】
【００５４】
10  容器本体、11  底面、12  外壁、13  容器フランジ、14  結合溝、15  容器取っ手、16  支持爪、17  容器リーフ、18  空間部、20  覆い、24  結合爪、25  覆いの取っ手、25a  下方突出部、26  余裕溝、27  覆いリーフ、30  樹脂フィルム。
【図１】
2006052012.tif 000003
【図２】
2006052012.tif 000004
【図３】
2006052012.tif 000005
【図４】
2006052012.tif 000006
【図５】
2006052012.tif 000007
【図６】
2006052012.tif 000008
【図７】
2006052012.tif 000009
【図８】
2006052012.tif 000010
【手続補正書】
【提出日】平成17年1月5日(2005.1.5)
【手続補正１】
【補正対象書類名】明細書
【補正対象項目名】００５３
【補正方法】変更
【補正の内容】
【００５３】
【図１】従来貯蔵容器を示した概略図である。
【図２】本発明の実施形態の貯蔵容器を示した分離斜視図である。
【図３】図2の分離断面図である。
【図４】図4Aは、覆いオープン動作を説明するための動作図である。図4Bは、図2のA−A断面図である。
【図５】容器本体の積層断面図である。
【図６】覆いの積層断面図である。
【図７】本発明の実施形態の容器本体の平面図である。
【図８】本発明の実施形態の貯蔵容器の積層断面図である。